(57)【要約】【課題】所定の個数以上の粒状物が取り出されることがない粒状物収納容器を提供する。【解決手段】本発明の粒状物収納容器は、上ケース前方部分１２及び下ケース前方部分２２は軟質材を含むものであり、下ケース前方部分２２は、軟質材で形成され、且つ下ケース２０の内側前方において下ケース前方部分２２に一体に連結する前方端２５ａを有するとともに上ケース１０に対して押し当たる片持ち支持の舌片２５を備え、上ケース前方部分１２及び下ケース前方部分２２に対し、粒状物収納容器の両側部が互いに近づく向きに押圧力を付与することで、上ケース前方部分１２と下ケース前方部分２２とが互いに離反する向きに湾曲して取出口Ｈが形成されるとともに、舌片２５が下ケース前方部分２２に対して相対的に持ち上がることを特徴とする。【選択図】図１
2015209269.tif 000002
【特許請求の範囲】
【請求項１】
上ケースと下ケースの間に粒状物の収納空間を有する粒状物収納容器であって、
前記上ケース及び前記下ケースの前方部分は、弾性変形可能な軟質材を含むものであり、
該下ケースの前方部分は、該軟質材で形成され、且つ下ケースの内側前方において該下ケースの前方部分に一体に連結する前方端を有するとともに該上ケースに対して押し当たる片持ち支持の舌片を備え、
該上ケースの前方部分及び該下ケースの前方部分に対し、粒状物収納容器の両側部が互いに近づく向きに押圧力を付与することで、該上ケースの前方部分と該下ケースの前方部分とが互いに離反する向きに湾曲して前記粒状物の取出口が形成されるとともに、該舌片が該下ケースの前方部分に対して相対的に持ち上がることを特徴とする粒状物収納容器。
【請求項２】
前記下ケースは、前記舌片との間隔を狭めつつ後方から前記前方端に向けて延在する傾斜壁を有する請求項１に記載の粒状物収納容器。
【請求項３】
前記上ケースは、前記舌片に向けて突出し、該舌片を下ケースの延在する向きに対して平行に支持する突起を有する請求項１又は２に記載の粒状物収納容器。
【請求項４】
前記突起の後端部は、前方から後方に向かって上方に傾く傾斜面を有する請求項３に記載の粒状物収納容器。
【請求項５】
前記軟質材は、インサート成形によって前記上ケース及び前記下ケースに一体成形されたものである請求項１〜４の何れか一項に記載の粒状物収納容器。
【発明の詳細な説明】
【技術分野】
【０００１】
本発明は、粒状物を収納する粒状物収納容器に関するものである。
【背景技術】
【０００２】
従来、例えば球形状や扁平円形状をなす、菓子や薬剤等の粒状物を収納する粒状物収納容器としては、粒状物収納部を有するとともに側壁上部に取出口を穿設したケース本体と、取出口に離脱可能に嵌合する係合突起を有する蓋体とを備え、弾性板及び案内溝によって蓋体閉方向へ付勢力が生じるようにし、開蓋状態で係合突起の縁部がケース本体上面に係合することで、付勢力に抗して取出口の開口状態を維持するようにしたものが知られている（例えば特許文献１参照）。
【先行技術文献】
【特許文献】
【０００３】
【特許文献１】特許第４０６１８３３号公報
【発明の概要】
【発明が解決しようとする課題】
【０００４】
ところで特許文献１の容器は、取出口の開口状態が維持されるものであるので、粒状物を取り出す際の容器の姿勢や容器への加振の仕方によっては、必要とする個数以上の粒状物が容器から出てしまうことがあった。
【０００５】
本発明は、このような問題点を解決することを課題とするものであり、その目的は、粒状物が所定の個数以上で取り出されることがない、新たな粒状物収納容器を提案するところにある。
【課題を解決するための手段】
【０００６】
本発明は、上ケースと下ケースの間に粒状物の収納空間を有する粒状物収納容器であって、
前記上ケース及び前記下ケースの前方部分は、弾性変形可能な軟質材を含むものであり、
該下ケースの前方部分は、該軟質材で形成され、且つ下ケースの内側前方において該下ケースの前方部分に一体に連結する前方端を有するとともに該上ケースに対して押し当たる片持ち支持の舌片を備え、
該上ケースの前方部分及び該下ケースの前方部分に対し、粒状物収納容器の両側部が互いに近づく向きに押圧力を付与することで、該上ケースの前方部分と該下ケースの前方部分とが互いに離反する向きに湾曲して前記粒状物の取出口が形成されるとともに、該舌片が該下ケースの前方部分に対して相対的に持ち上がることを特徴とする粒状物収納容器である。
【０００７】
前記下ケースは、前記舌片との間隔を狭めつつ後方から前記前方端に向けて延在することが好ましい。
【０００８】
前記上ケースは、前記舌片に向けて突出し、該舌片を下ケースの延在する向きに対して平行に支持する突起を有することが好ましい。
【０００９】
前記突起の後端部は、前方から後方に向かって上方に傾く傾斜面を有することが好ましい。
【００１０】
前記軟質材は、インサート成形によって前記上ケース及び前記下ケースに一体成形することが好ましい。
【発明の効果】
【００１１】
本発明によれば、上ケースの前方部分及び該下ケースの前方部分に対し、粒状物収納容器の両側部が互いに近づく向きに押圧力を付与することで、上ケースの前方部分と下ケースの前方部分とが互いに離反する向きに湾曲して取出口が形成されるとともに、舌片が下ケースの前方部分に対して相対的に持ち上がるため、舌片の側方及び後方に位置する粒状物の取出口に向かう進行を阻止することができる。このため、押圧力を付与する前（粒状物の収納空間が閉鎖された状態）に舌片の上に移動した粒状物だけを容器から取り出すことができる。
【００１２】
下ケースに、舌片との間隔を狭めつつ、後方から舌片の前方端に向けて延在する傾斜壁を設ける場合は、収納空間が閉鎖された状態において、粒状物が舌片の上に移動しやすくなるので、粒状物が取出口から出てこないという不具合が起こりにくくなる。
【００１３】
また、上ケースに、舌片に向けて突出し、この舌片を下ケースの延在する向きに対して平行に支持する突起を設ける場合も、粒状物が舌片の上に移動しやすくなるので、粒状物が取出口から出てこないという不具合が起こりにくくなる。
【００１４】
突起の後端部に、前方から後方に向かって上方に傾く傾斜面を設ける場合は、押圧力を付与する際に、舌片が下ケースの前方部分に対してより持ち上がることになるので、舌片の側方及び後方に位置する粒状物の取出口に向かう進行がより確実に阻止される。
【００１５】
軟質材を、インサート成形によって上ケース及び下ケースに一体成形する場合は、部品点数の増大を招くことがない上、容器を簡単に組み立てることができる。
【図面の簡単な説明】
【００１６】
【図１】本発明に従う粒状物収納容器の一実施形態の平面図である。
【図２】図１に示すＡ−Ａに沿う断面図である。
【図３】図１に示すＢ−Ｂに沿う断面図である。
【図４】図１に示すＣ−Ｃに沿う断面図である。
【図５】図１に示す粒状物収納容器の上ケースを示す、（ａ）は裏面であり、（ｂ）は（ａ）に示すＤ−Ｄに沿う断面図である。
【図６】図１に示す粒状物収納容器の下ケースを示す、（ａ）は平面図であり、（ｂ）は（ａ）に示すＥ−Ｅに沿う断面図である。
【図７】図１に示す粒状物収納容器から粒状物を取り出す状況を説明する、（ａ）は平面図であり、（ｂ）は正面図である。
【図８】図７に示すＦ−Ｆに沿う断面図である。
【図９】本発明に従う粒状物収納容器の他の実施形態の平面図である。
【図１０】図９に示すＧ−Ｇに沿う断面図である。
【図１１】図９に示すＨ−Ｈに沿う断面図である。
【図１２】図９に示す粒状物収納容器の上ケースを示す、（ａ）は裏面であり、（ｂ）は（ａ）に示すＩ−Ｉに沿う断面図である。
【図１３】図９に示す粒状物収納容器の下ケースを示す、（ａ）は平面図であり、（ｂ）は（ａ）に示すＪ−Ｊに沿う断面図である。
【図１４】図９に示す粒状物収納容器から粒状物を取り出す状況を説明する、（ａ）は平面図であり、（ｂ）は正面図である。
【図１５】図１４に示すＫ−Ｋに沿う断面図である。
【発明を実施するための形態】
【００１７】
以下、図面を参照して、本発明をより具体的に説明する。なお、本明細書、特許請求の範囲、要約書において、「上方」とは、下ケース２０に対して上ケース１０が位置する側（図２参照）であり、「下方」とは、その反対側である。また「前方」とは、上ケース後方部分１１に対して上ケース前方部分１２が位置する側であり（図１参照）、「後方」とは、その反対側である。また「側方」とは前方から後方に向かって粒状物収納容器を見る際の左右方向である。
【００１８】
図１〜図６は、本発明に従う粒状物収納容器の一実施形態を示す。本実施形態の粒状物収納容器は、上ケース１０及び下ケース２０で構成されている。またその内側に形成される空間（収納空間Ｓ）には、扁平円形状となる粒状物Ｔを収納できるようにしている。
【００１９】
図５に示すように上ケース１０は、概略、矩形状をなす平板の外縁部に、この平板に対して垂直方向に延在する周壁を有する形状となるものであり、比較的剛性の高い硬質な合成樹脂で形成される後方部分（上ケース後方部分）１１と、弾性変形可能な軟質材（ゴムやエラストマー等）を含む前方部分（上ケース前方部分）１２とで構成されている。本実施形態の上ケース前方部分１２は、上ケース後方部分１１から延長して延びるとともに上ケース後方部分１１の厚みよりも薄くした薄板部１２ａを有し、この薄板部１２ａを中心として、その内側及び外側に軟質材を設けたものである。なお、上ケース前方部分１２は、薄板部１２ａを省略して軟質材だけで構成してもよい。軟質材を上ケース前方部分１２に設けるに当たっては、軟質材で形成される部材とそれ以外の部材をそれぞれ個別に形成し、その後、嵌合や接着等で組み合わせてもよいが、本実施形態では、インサート成形によって形成している。このため、部品点数の増大を招くことがない上、嵌合や接着等を行う必要がなくなるので、組み立て作業が簡単になる。
【００２０】
図５（ａ）に示すように上ケース１０の内側には、その外縁に沿って、上ケース後方部分１１又は薄板部１２ａに一体に連結する円筒状の筒状部１３が設けられていて（本実施形態では合計６本）、その中央部には、上ケース後方部分１１に一体に連結するとともに下ケース２０と組み合わさった際に収納空間Ｓの隙間を確保する、円筒状のスペーサー部１４が設けられている（本実施形態では１本）。
【００２１】
更に上ケース前方部分１２の内側には、裏面視にて三角形状をなす突起１５が設けられている。図５（ｂ）に示すように突起１５の後端部には、前方から後方に向かって上向きに傾く傾斜面１５ａが設けられている。本実施形態の突起１５は軟質材で形成されているが、薄板部１２ａを形成する硬質の合成樹脂で形成してもよい。
【００２２】
下ケース２０は、図６に示すように、概略、矩形状をなす平板の外縁部に、この平板に対して垂直方向に延在する周壁を有する形状となるものであって、硬質な合成樹脂で形成される後方部分（下ケース後方部分）２１と、軟質材を含む前方部分（下ケース前方部分）２２とで構成されている。本実施形態の下ケース前方部分２２は、上述した上ケース前方部分１２と同様の構成となるものであって、下ケース後方部分２１から延長して延びるとともに下ケース後方部分２１の厚みよりも薄くした薄板部２２ａを有し、この薄板部２２ａを中心として、その内側及び外側に軟質材を設けたものである。なお下ケース前方部分２２は、軟質材だけで形成してもよい。本実施形態の下ケース前方部分２２は、上ケース前方部分１２と同様にインサート成形によって軟質材を設けている。
【００２３】
図６（ａ）に示すように下ケース２０の内側には、下ケース後方部分２１又は薄板部２２ａに一体に連結するとともに筒状部１３に嵌合する円筒状のボス２３が設けられている（本実施形態では合計６本）。更に下ケース前方部分２２の内側には、上ケース１０と組み合わさった際に収納空間Ｓの隙間を確保する、円筒状のスペーサー部２４が設けられている（本実施形態では合計２本）。本実施形態のスペーサー部２４は軟質材で形成されているが、薄板部２２ａに一体に連結させて硬質な合成樹脂で形成してもよい。
【００２４】
下ケース２０の内側前方には、下ケース前方部分２２に一体に連結する前方端２５ａを有するとともに、軟質材で形成される片持ち支持の舌片２５が設けられている。また下ケース前方部分２２には、内側から外側に向けて凹状をなす凹部２６が設けられている。上ケース１０と組み合わせる前において舌片２５は、図６（ｂ）に示すように上方に向けて起立するように設けられている。舌片２５は、図４に示すように上ケース１０と下ケース２０とを組み合わせると、突起１５が当接して凹部２６内に収められ、上ケース１０に向かう付勢力を保持したまま下ケース２０の延在する向きに対して平行に支持される。
【００２５】
更に下ケース前方部分２２の内側には、図６（ａ）に示すように、舌片２５との間隔を狭めつつ後方から前方端２５ａに向けて延在する傾斜壁２７が設けられている。本実施形態では、一対の傾斜壁２７が、舌片２５を挟んで対称になるように設けられている。本実施形態の傾斜壁２７は軟質材で形成されているが、薄板部２２ａに一体に連結させて硬質な合成樹脂で形成してもよい。
【００２６】
このような構成になる粒状物収納容器から粒状物Ｔを取り出すには、例えば後方に対して前方が下方に位置するように粒状物収納容器を傾倒させて、収納空間Ｓ内の粒状物Ｔを前方に向かって移動させる。本実施形態では傾斜壁２７を設けているので、特に舌片２５の前方端２５ａに向けて粒状物Ｔが集まりやすくなる。本実施形態では、舌片２５の上面に粒状物Ｔが一粒載置されるようにしている。
【００２７】
そして、粒状物収納容器を傾倒させたまま、図７（ａ）、（ｂ）に示すように、上ケース前方部分１２及び下ケース前方部分２２に対し、粒状物収納容器の両側部が互いに近づく向きに押圧力を付与する。これによって、図７（ｂ）に示すように上ケース前方部分１２と下ケース前方部分２２とが互いに離反する向きに湾曲して、粒状物Ｔの取出口Ｈが形成される。この際、図８に示すように舌片２５は、付勢力でもって上ケース前方部分１２の突起１５に追従するように移動する。すなわち舌片２５は、下ケース前方部分２２に対して相対的に持ち上がることになるため、舌片２５の側方及び後方に位置する粒状物Ｔは、持ち上がった舌片２５によって取出口Ｈに向かう進行が阻止されることになる。これにより、舌片２５の上面に移動していた一粒の粒状物Ｔだけを取出口Ｈから取り出すことができる。なお、本実施形態では、突起１５の後端部に傾斜面１５ａが設けられているので、これを設けていない場合と比較して、舌片２５は下ケース前方部分２２に対してより持ち上がることになる。このため、舌片２５上に移動していた以外の粒状物Ｔが取り出されてしまう不具合を、より確実に防止することができる。粒状物Ｔを取り出した後は、押圧力を緩めることで、上ケース前方部分１２と下ケース前方部分２２は復元し、取出口Ｈが閉鎖されるとともに、舌片２５が元の平行な姿勢に戻される。これにより、新たな粒状物Ｔが舌片２５の上面に一粒移動する。すなわち、押圧力の付与と解除を繰り返すたびに粒状物Ｔを一粒ずつ取り出すことができる。
【００２８】
次に、本発明に従う粒状物収納容器の他の実施形態について、図９〜図１５を参照しつつ説明する。なお、上述した実施形態と同様の機能を有する部位は、同一の符号を付して説明を省略する。
【００２９】
本実施形態の粒状物収納容器において上ケース１０’は、概略、先の実施形態の突起１５に代えて、図１２（ａ）に示すように、平面視にて前方部分が円弧状に形成され、後方部分が後方に向けて先細りとなる突起１５’を設けたものである。図１２（ｂ）に示すように突起１５’は、側面視において前方部分は上ケース１０の延在する方向に延びる水平面１５ｂ’を備える一方、後方部分は上ケース１０に近づく向きに傾斜する傾斜面１５ａ’を備えている。
【００３０】
また本実施形態の下ケース２０’は、概略、先の実施形態の舌片２５に代えて、図１３（ａ）、（ｂ）に示す舌片２５’を設けたものである。上ケース１０と組み合わせる前において舌片２５’は、図１３（ｂ）及び図１０に示すように、上方に向けて起立するとともに、前方から後方に向かって中央部が突出するように湾曲している。
【００３１】
本実施形態の上ケース１０’と下ケース２０’とを組み合わせると、舌片２５’は突起１５’の水平面１５ｂ’によって、上ケース１０’に向かう付勢力を保持したまま下ケース２０’の延在する向きに対して平行に支持される（図１０、図１１参照）。これにより、後方に対して前方が下方に位置するように粒状物収納容器を傾倒させれば、先の実施形態と同様に、舌片２５’の上面に粒状物Ｔが一粒載置される。
【００３２】
そして、粒状物収納容器を傾倒させたまま、図１４（ａ）、（ｂ）に示すように、上ケース前方部分１２及び下ケース前方部分２２に対し、粒状物収納容器の両側部が互いに近づく向きに押圧力を付与することで、上ケース前方部分１２と下ケース前方部分２２とが互いに離反する向きに湾曲し、粒状物Ｔの取出口Ｈが形成される。またこの時、舌片２５’は、図１５に示すように突起１５’の傾斜面１５ａ’によって支持されるので、図１４（ｂ）に示すように、中央部が下ケース２０’に突出するように湾曲した状態に復元する。このため、舌片２５’の上面にある粒状物Ｔは、舌片２５’の両側部がガイドとなって真っ直ぐに移動するので、これを受け取る掌等の上に確実に落下させることができる。また、他の粒状物Ｔは、湾曲した舌片２５’によって取出口Ｈに向かう進行がより確実に阻止されるので、粒状物Ｔが余分に取り出される不具合をより確実に防止することができる。
【００３３】
本発明に従う粒状物収納容器は、本実施形態に限定されるものではなく、特許請求の範囲に従う範囲で種々の変更が可能である。例えば上ケース１０と下ケース２０とは、それらの一方に爪部を設け、他方にこの爪部に係合する凹部を設けて組み合わせるようにしてもよい。また粒状物収納容器の形状は、矩形状となるものに限られず、例えば円形状、楕円形状になるものであってもよい。
【産業上の利用可能性】
【００３４】
本発明によれば、所定の個数以上の粒状物が取り出されることがない、新規の粒状物収納容器を提供することが可能となる。
【符号の説明】
【００３５】
１０、１０’  上ケース
１１、１１’  上ケース後方部分
１２  上ケース前方部分
１２ａ  薄板部
１３  筒状部
１４  スペーサー部
１５、１５’  突起
１５ａ、１５ａ’  傾斜面
１５ｂ’  水平面
２０  下ケース
２１  下ケース後方部分
２２  下ケース前方部分
２２ａ  薄板部
２３  ボス
２４  スペーサー部
２５、２５’  舌片
２５ａ  前方端
２６  凹部
２７  傾斜壁
Ｈ  取出口
Ｓ  収納空間
Ｔ  粒状物
【図１】
2015209269.tif 000003
【図２】
2015209269.tif 000004
【図３】
2015209269.tif 000005
【図４】
2015209269.tif 000006
【図５】
2015209269.tif 000007
【図６】
2015209269.tif 000008
【図７】
2015209269.tif 000009
【図８】
2015209269.tif 000010
【図９】
2015209269.tif 000011
【図１０】
2015209269.tif 000012
【図１１】
2015209269.tif 000013
【図１２】
2015209269.tif 000014
【図１３】
2015209269.tif 000015
【図１４】
2015209269.tif 000016
【図１５】
2015209269.tif 000017